(57)【要約】【課題】止水板を迅速且つ容易に設置できる止水装置を提供することを目的とするものである。【解決手段】本願発明の止水装置は、間隔を空けて設置された左右の支持体２Ｌ，２Ｒと、左右の支持体２Ｌ，２Ｒに着脱可能に取り付けられて立設される止水板３Ａ，３Ｂとを備えたる。止水板は、支持体２Ｌ，２Ｒと当接する面より支持体２Ｌ，２Ｒに向けて突起させた係止突起部３２を有している。止水板３Ａ，３Ｂが支持体２Ｌ，２Ｒに対して前後方向に移動されるとともに、係止突起部３２が支持体２Ｌ，２Ｒに設けた係止穴２２に挿入されて係止されることで、止水板３Ａ，３Ｂが支持体２Ｌ，２Ｒに接続されるものである。【選択図】図１
2019203309.tif 000002
【特許請求の範囲】
【請求項１】
間隔を空けて設置された左右の支持体と、左右の前記支持体に着脱可能に取り付けられて立設される止水板とを備えた止水装置であって、
前記止水板は、前記支持体と当接する面より前記支持体に向けて突起させた係止突起部を有しており、前記止水板が前記支持体に対して前後方向に移動されるとともに、前記係止突起部が前記支持体に設けた係止穴に挿入されて係止されることで、前記止水板が前記支持体に接続される、止水装置。
【請求項２】
前記係止突起部が、前記止水板における前後の起立面部のうち少なくとも一方の起立面部に複数設けられており、同一の前記起立面部に設けられた前記係止突起部は、前記起立面部の中心に対して点対称となる位置に配置される、請求項１に記載の止水装置。
【請求項３】
前記止水板は、少なくとも前記起立面部における前記支持体と当接する領域にパッキン部材を備える、請求項２に記載の止水装置。
【請求項４】
前記止水板が、前後の起立面部のうち少なくとも一方の起立面部において、前記支持体と当接する領域に、前後に延びる軸部の先端に幅広の頭部を有する前記係止突起部を備えており、
前記支持体が、前記起立面部に対向配置される止水板取付け面部に、前記頭部を挿通可能な頭部挿通穴から下方に向けて延びる軸部挿通溝を有する前記係止穴を備える、請求項１〜３のいずれかに記載の止水装置。
【請求項５】
前記支持体の内部に、前記頭部挿通穴の下方に配置されて前記係止突起部の頭部を保持する頭部保持部が設けられている、請求項４に記載の止水装置。
【発明の詳細な説明】
【技術分野】
【０００１】
本願発明は、止水装置に関するものである。
【背景技術】
【０００２】
従来、集中豪雨や洪水などの自然災害の際に、地下鉄駅や地下駐車場、建物などの構造物にその出入口から水が侵入するのを防止するために、当該出入口に止水板を設置することが行われる。
【０００３】
構造物の出入口に止水板を設置する技術として、間隔を空けて設置された左右の支持体に、止水板の左右端部位を着脱可能に設置して水を堰き止める止水装置が知られている（例えば特許文献１を参照）。特許文献１に開示された止水装置では、構造物の出入口の左右両側に支持体をそれぞれ設け、各支持体に設けられた対向溝に止水板を上方から落し込むことで、止水板が立設配置される。
【先行技術文献】
【特許文献】
【０００４】
【特許文献１】特開２００８−１６９５６１号公報
【発明の概要】
【発明が解決しようとする課題】
【０００５】
特許文献１に開示された止水装置では、止水板を設置する際には、左右の支持体の対向溝に止水板を落し込むために、止水板を支持体の対向溝よりも高い位置まで持ち上げる必要がある。止水板は、高い水圧に耐えられるように十分な強度が必要なので、重量が大きい。したがって、止水板を支持体の対向溝よりも高い位置（例えば１メートル以上）まで人力で持ち上げるのは困難を伴い、例えば年配者や女性などの非力な作業者が止水板を設置するのは困難であるという問題があった。
【０００６】
本願発明は、このような現状を改善すべく、止水板を迅速且つ容易に設置できる止水装置を提供することを目的とするものである。
【課題を解決するための手段】
【０００７】
本願発明の止水装置は、間隔を空けて設置された左右の支持体と、左右の前記支持体に着脱可能に取り付けられて立設される止水板とを備えた止水装置であって、前記止水板は、前記支持体と当接する面より前記支持体に向けて突起させた係止突起部を有しており、前記止水板が前記支持体に対して前後方向に移動されるとともに、前記係止突起部が前記支持体に設けた係止穴に挿入されて係止されることで、前記止水板が前記支持体に接続されるものである。
【０００８】
本願発明の止水装置によれば、止水板を前後へスライドさせることで、止水板を支持体の高さ以上に持ち上げなくても止水板を支持体に接続できるので、止水板を迅速且つ容易に設置できる。
【０００９】
上記止水装置において、前記係止突起部が、前記止水板における前後の起立面部のうち少なくとも一方の起立面部に複数設けられており、同一の前記起立面部に設けられた前記係止突起部は、前記起立面部の中心に対して点対称となる位置に配置されるものとしてもよい。これにより、止水板を上下反転させたとしても、係止突起部を係止穴に係止できるため、緊急時において止水板の上下を確認せずとも容易に且つ迅速に支持体に接続できる。
【００１０】
本願発明の止水装置は、間隔を空けて設置された左右の支持体と、左右の前記支持体に着脱可能に取り付けられて立設される止水板とを備えた止水装置であって、前記止水板は、前後の起立面部のうち少なくとも一方の起立面部における左右の幅方向端部位のそれぞれに、前後に延びる軸部の先端に幅広の頭部を有する係止突起部と、上下方向に延びる弾性体からなる起立面部パッキン部材とを備える一方、前記支持体は、前記起立面部の幅方向端部位が対向配置される止水板取付け面部に、前記頭部を挿通可能な頭部挿通穴から下方に向けて延びる軸部挿通溝を有する係止穴を備え、前記係止突起部の頭部を前記係止穴の頭部挿通穴に挿入した後、前記止水板を下方へスライドさせることで、前記止水板が前記支持体に接続されるものである。
【００１１】
本願発明の止水装置によれば、止水板の係止突起部の頭部を支持体の係止穴の頭部挿通穴に挿入した後、止水板を下方へスライドさせることで、止水板を支持体の高さ以上に持ち上げなくても止水板を支持体に接続できるので、止水板を迅速且つ容易に設置できる。
【００１２】
本願発明の止水装置において、前記支持体の内部に、前記頭部挿通穴の下方に配置されて前記係止突起部の頭部を保持する頭部保持部が設けられており、前記頭部保持部は、下方側ほど前記止水板取付け面部から離れるように傾斜する頭部スライド面と、前記頭部スライド面の下方に設けられて前記係止突起部の頭部が嵌り込む頭部保持凹部とを備えているようにしてもよい。
【００１３】
この態様によれば、止水板の係止突起部の頭部を支持体の係止穴の頭部挿通穴に挿入した後、止水板を下方へスライドさせる際に、係止突起部の頭部は、頭部保持部の頭部スライド面に当接し、頭部スライド面に沿って、支持体の止水板取付け面部から離れるように斜め下向きに移動する。このとき、止水板の起立面部は、支持体の止水板取付け面部に近づくように変位し、起立面部パッキン部材が支持体の止水板取付け面部に密着当接するとともに押圧変形する。止水板がさらに下方へスライドして、係止突起部の頭部が頭部保持部の頭部保持凹部に到達すると、弾性体からなる起立面部パッキン部材の復元力によって係止突起部の頭部が頭部保持凹部に嵌り込む。このように、止水板の係止突起部の頭部を支持体の係止穴の頭部挿通穴に挿入した後に止水板を下方へスライドさせるという簡単な操作で、止水板を支持体に確実に接続できるとともに、止水板の上向き移動が規制されて、止水板の浮き上がりを防止できる。
【００１４】
このような態様の止水装置において、さらに、前記支持体の内部に、操作ハンドルを回動させることで前記頭部保持凹部に保持された前記係止突起部の頭部を跳ね上げ可能な解除装置が設けられているようにしてもよい。
【００１５】
この態様によれば、解除装置の操作ハンドルを回動させることで係止突起部の頭部を頭部保持凹部から上向きに容易に離脱させることができ、簡単な操作で、止水板を支持体から取り外し可能な状態にできる。
【００１６】
ところで、従来の止水装置では、止水板は前後の向き及び上下の向きが決まっている。したがって、止水板を支持体に取り付ける際には、止水板の向きの確認作業が煩雑であるとともに、止水板の向きを間違えると止水板を支持体に取り付けられないという問題があった。また、止水板を保管場所から設置場所（建造物の出入口など）に移動させる際に、作業者が止水板を落下させたときや疲労したときなどには、作業者が止水板の向きを持ち替えることがある。したがって、止水板を設置場所へ移動させたときには、止水板の向きは一定ではないので、止水板を支持体に取り付ける前に止水板の向きの確認が必要であり、止水板を取り付けるのに時間を要するという問題もあった。このような問題は、止水板の取付けに緊急性を要するときに特に顕著になる。
【００１７】
そこで、本願発明の止水装置において、前記止水板は、前記前後の起立面部のそれぞれに、前記係止突起部及び前記起立面部パッキン部材を備えるとともに、上下の水平面部のそれぞれに、左右方向に延びる弾性体からなる水平面部パッキン部材を備えており、前記係止突起部は、前記止水板における４つの前記幅方向端部位に、前記起立面部の左右方向中心線からの距離が同じで、且つ前記起立面部の上下方向中央位置に位置するように、それぞれ配置されているようにしてもよい。
【００１８】
この態様によれば、止水板を上下反転させても、左右反転させても、所定の位置に係止突起部が位置する。したがって、止水板を支持体に取り付ける際に、止水板の向きを確認する作業が不要になるとともに、止水板の取付け向きの間違いが無くなり、止水板を支持体に迅速且つ正確に取り付けることができる。
【００１９】
このような態様の止水装置において、さらに、複数の前記止水板が上下に並べられて前記支持体に取り付けられる構成であって、前記止水板は、前記上下の水平面部のそれぞれに、上下方向に向けて突出するストッパ突起部と、他の前記止水板の前記ストッパ突起部を収容可能なストッパ受け凹部とを備えており、それぞれの前記止水板で、前記ストッパ突起部の左右方向位置が異なっているとともに、前記ストッパ受け凹部が、他の前記止水板の前記ストッパ突起部の左右方向位置に対応して左右方向中央位置又は左右対称位置に設けられており、前記止水板が配置される床面に、複数の床面ストッパ受け凹部が、いずれの前記止水板が前記床面の上に配置されても前記ストッパ突起部を収容できる位置に設けられているようにしてもよい。
【００２０】
この態様によれば、複数の止水板を上下に並べて配置することで、止水板の合計高さを高くできる構成でありながら、１枚あたりの止水板の重量を小さくでき、止水板の移動作業が容易になる。また、上下の止水板同士の間、及び止水板と床面との間を、ストッパ突起部及びストッパ受け凹部で連結するので、水圧に起因する止水板の湾曲を低減でき、止水板の湾曲に起因する水密性の低下や止水板の破損を防止できる。
【００２１】
また、各止水板でストッパ突起部の左右方向位置が互いに異なっているとともに、各止水板は、他の止水板のストッパ突起部の左右方向位置に対応して左右方向中央位置又は左右対称位置にストッパ受け凹部を備えていることから、各止水板を上下反転させても、左右反転させても、止水板同士を上下に連結可能である。また、止水板が配置される床面には、いずれの止水板が床面の上に配置されてもストッパ突起部を収容できる位置に複数の床面ストッパ受け凹部が設けられているので、いずれの止水板を床面の上に配置しても、ストッパ突起部が床面ストッパ受け凹部に収容される。これにより、各止水板の向きや、止水板を上下に並べる順番を気にすることなく、複数の止水板を支持体に取り付けることができる。したがって、支持体に複数の止水板を取り付ける構成でありながら、複数の止水板を支持体に取り付ける際に、各止水板の向きを確認する作業が不要になるとともに、各止水板の取付け向きの間違いが無くなり、止水板を支持体に素早く且つ正確に取り付けることができる。
【発明の効果】
【００２２】
本願発明は、止水板を迅速且つ容易に設置できる止水装置を提供できる。
【図面の簡単な説明】
【００２３】
【図１】止水装置の一実施形態の全体を示す概略正面図である。
【図２】同止水装置を示す概略平面図である。
【図３】同止水装置の一方の止水板３Ａを示す図であり、（Ａ）は平面図、（Ｂ）は正面図である。
【図４】同止水板３Ａを示す図であり、（Ａ）は側面図、（Ｂ）は図３（Ｂ）のＸ−Ｘ位置での縦断面図、（Ｃ）は（Ｂ）の上側のストッパ突起部周辺を示す拡大図である。
【図５】同止水装置の他方の止水板を示す図であり、（Ａ）は平面図、（Ｂ）は正面図である。
【図６】止水板３Ａ，３Ｂの配置状態の一例を示す正面図である。
【図７】止水板３Ａ，３Ｂの配置状態の他の例を示す正面図である。
【図８】支持体を示す図であり、（Ａ）は平面図、（Ｂ）は正面図、（Ｃ）は（Ｂ）のＵ−Ｕ位置に沿った横断面図、（Ｄ）は（Ａ）のＹ−Ｙ位置に沿った縦断面図である。
【図９】同支持体を示す図であり、（Ａ）は背面図、（Ｂ）は図８（Ａ）のＺ−Ｚ位置に沿った縦断面図、（Ｃ）は（Ｂ）の係止穴周辺を示す拡大図である。
【図１０】同支持体を示す図であり、（Ａ）は図８（Ａ）のＰ−Ｐ位置に沿った縦断面図、（Ｂ）は図８（Ｃ）のＱ−Ｑ位置に沿った縦断面図、（Ｃ）は（Ｂ）の係止穴周辺を示す拡大図である。
【図１１】係止突起部と係止穴との係合操作を説明するための概略斜視図であり、（Ａ）は係合前の状態、（Ｂ）は係止突起部が係止穴に挿入された状態、（Ｃ）は係止突起部が係止穴に係合された状態を示す。
【図１２】支持体への止水板３Ａの取付け動作を説明するための断面図である。
【図１３】支持体に止水板３Ａが取り付けられた状態を示す断面図であり、（Ａ）は支持体及び止水板の全体図、（Ｂ）は係止突起部周辺を示す拡大図、（Ｃ）は下側のストッパ突起部周辺を示す拡大図である。
【図１４】支持体への止水板３Ｂの取付け動作を説明するための断面図である。
【図１５】支持体に止水板３Ａ，３Ｂが取り付けられた状態を示す断面図であり、（Ａ）は支持体及び止水板の全体図、（Ｂ）は止水板３Ａ，３Ｂの連結部周辺を示す拡大図である。
【図１６】支持体からの止水板３Ａ，３Ｂの取外し操作を説明するための断面図であり、（Ａ）は止水板３Ｂを取り外すときの操作を、（Ｂ）は止水板３Ａを取り外すときの操作を示す。
【図１７】止水装置の他の実施形態における止水板３Ａを示す図であり、（Ａ）は平面図、（Ｂ）は正面図である。
【図１８】同止水装置の支持体を背面側から見た左右方向の縦断面図である。
【図１９】同支持体からの止水板３Ａ，３Ｂの取外し操作を説明するための断面図であり、（Ａ）は止水板３Ｂを取り外すときの操作を示し、（Ｂ）は止水板３Ａを取り外すときの操作を示す。
【発明を実施するための形態】
【００２４】
以下に、本願発明を具体化した実施形態を図面に基づいて説明する。また、各方向を特定するため、前後・左右の文言を使用するが、図１及び図２に示すように、一対の支持体が間隔を空けて配置される方向を左右方向とし、これと直交した方向を前後方向と定義している。
【００２５】
図１及び図２に示すように、本実施形態の止水装置１は、例えば地下鉄駅や地下駐車場、建物などの構造物への水の侵入を防止するために、構造物の出入口Ｅに設置される。止水装置１は、間隔を空けて設置された左右の支持体２Ｌ，２Ｒと、左右の支持体２Ｌ，２Ｒに着脱可能に取り付けられて立設される止水板３Ａ，３Ｂとを備えている。
【００２６】
止水板３Ａ，３Ｂは、支持体２Ｌ，２Ｒと当接する面３１より支持体２Ｌ，２Ｒに向けて突起させた係止突起部３２を有しており、止水板３Ａ，３Ｂが支持体２Ｌ，２Ｒに対して前後方向に移動されるとともに、係止突起部３２が支持体２Ｌ，２Ｒに設けた係止穴２２に挿入されて係止されることで、止水板３Ａ，３Ｂが支持体２Ｌ，２Ｒに接続される。これにより、止水板３Ａ，３Ｂを前後へスライドさせることで、止水板３Ａ，３Ｂを支持体の高さ以上に持ち上げなくても止水板を支持体２Ｌ，２Ｒに接続できるので、止水板３Ａ，３Ｂを迅速且つ容易に設置できる。
【００２７】
本実施形態では、左右の支持体２Ｌ，２Ｒは、出入口Ｅの左右端位置で床面Ｆに立設されるとともに、出入口Ｅの左右の側壁Ｗ及び床面Ｆとの間の水密性を接着剤又は弾性体などで確保しながら、床面Ｆ及び側壁Ｗに固着されている。また、止水板は、上下に分割された上下２枚の止水板３Ａ，３Ｂで構成されている。
【００２８】
図１〜図１０を参照しながら、止水装置１の概略構成について説明する。図３及び図４に示された止水板３Ａに関し、底面図は平面図と同一であり、背面図は正面図と同一であり、左側面図は右側面図と同一である。また、図５に示された止水板３Ｂに関し、底面図は平面図と同一であり、背面図は正面図と同一であり、左側面図は右側面図と同一である。
【００２９】
図３〜図５に示すように、止水板３Ａ，３Ｂは、矩形板状の形態を有し、前後の起立面部３１，３１における左右の幅方向端部位３１ａ，３１ａのそれぞれに、係止突起部３２と起立面部パッキン部材３３とを備えている。係止突起部３２は、前後に延びる軸部３２ｂの先端に幅広の頭部３２ａを有している。起立面部パッキン部材３３は、上下方向に延びる弾性体で形成されている。なお、止水板３Ａ，３Ｂの内部は、中空部分を有する構造であってもよい。
【００３０】
図１、図２及び図８〜図１０に示すように、左右の支持体２Ｌ，２Ｒは、止水板３Ａ，３Ｂの起立面部３１の幅方向端部位３１ａが対向配置される止水板取付け面部２１の上下２箇所に、係止突起部３２を係止するための係止穴２２を備えている。係止穴２２は、上下縦長で下方側が幅狭の鍵穴状であり、係止突起部３２の頭部３２ａを挿通可能な頭部挿通穴２２ａと、頭部挿通穴２２ａから下方に向けて延びる軸部挿通溝２２ｂを有している。
【００３１】
止水板３Ａ，３Ｂが支持体２Ｌ，２Ｒに取り付けられる際には、係止突起部３２の頭部３２ａを係止穴２２の頭部挿通穴２２ａに挿入した後、止水板３Ａ，３Ｂを下方へスライドさせて、係止突起部３２の軸部３２ｂを係止穴２２の軸部挿通溝２２ｂに位置させる。これにより、止水板３Ａ，３Ｂは、支持体２Ｌ，２Ｒに、前後に引き抜き不能に接続される。また、起立面部３１の幅方向端部位３１ａに設けられた起立面部パッキン部材３３が止水板取付け面部２１に密接することで、止水板３Ａ，３Ｂと支持体２Ｌ，２Ｒとの間の水密性が確保される。
【００３２】
このように、止水装置１によれば、止水板３Ａ，３Ｂを支持体２Ｒ，２Ｌの高さ以上に持ち上げなくても支持体２Ｒ，２Ｌに接続できるので、止水板３Ａ，３Ｂを迅速且つ容易に設置できる。また、止水板３Ａ，３Ｂを支持体２Ｒ，２Ｌの高さ以上に持ち上る必要がないので、年配者や女性などの非力な作業者であっても、止水板３Ａ，３Ｂを支持体２Ｒ，２Ｌに迅速且つ容易に設置できる。
【００３３】
図３〜図７を参照しながら、止水板３Ａ，３Ｂの詳細な構成について説明する。止水板３Ａ，３Ｂは、例えば炭素繊維強化プラスチック製又は金属製であり、矩形板状の形態を有する。止水板３Ａと止水板３Ｂは、後述するストッパ突起部３７及びストッパ受け凹部３８の位置及び個数が互いに異なることを除いて、同じ形態を有している。そこで、止水板３Ａの構成について説明した後、止水板３Ｂについて止水板３Ａとは異なる構成部分を説明する。
【００３４】
図３及び図４に示すように、止水板３Ａの前後の起立面部３１，３１のそれぞれに、左右一対の係止突起部３２と、左右一対の起立面部パッキン部材３３とが設けられている。上述のように、係止突起部３２及び起立面部パッキン部材３３は、起立面部３１の左右の幅方向端部位３１ａ，３１ａのそれぞれに設けられている。すなわち、止水板３Ａには、４つの係止突起部３２と、４本の起立面部パッキン部材３３が設けられている。
【００３５】
係止突起部３２が、止水板３Ａにおける前後の起立面部３１のうち少なくとも一方の起立面部３１に複数設けられており、同一の起立面部３１に設けられた係止突起部３２は、起立面部３１の中心に対して点対称となる位置に配置される。これにより、止水板３Ａを上下反転させたとしても、係止突起部３２を係止穴２２に係止できるため、緊急時において止水板３Ａの上下を確認せずとも容易に且つ迅速に支持体に接続できる。
【００３６】
すなわち、同一高さ位置に配置された係止突起部３２は、同一の起立面部３１上において左右対称となる位置に配置されている。また、本実施形態においては、左右の幅方向端部位３１ａ，３１ａのそれぞれにおいて、高さ方向で中心となる位置に一つの係止突起部３２が突設されるものとしているが、複数の係止突起部３２が上下対称となる位置に突設しても構わない。
【００３７】
係止突起部３２は、起立面部３１に取り付けられる取付板部３２ｃと、取付板部３２ｃに突設された軸部３２ｂと、軸部３２ｂの先端に設けられた頭部３２ａと、軸部３２ｂに沿って設けられた上下一対の補強リブ３２ｄ，３２ｄを備えている。取付板部３２ｃは略矩形板状である。軸部３２ｂは、取付板部３２ｃの中央部から前後一方向に向けて突設されている。
【００３８】
頭部３２ａは、左右端面が略楕円形の略楕円柱形状を有し、頭部３２ａの左右方向幅は、軸部３２ｂの左右方向幅よりも大きい。すなわち、頭部３２ａは、軸部３２ｂよりも左右方向に幅広に形成されている。補強リブ３２ｄは、側面視で取付板部３２ｃ側が広い略直角三角形板状の形態を有し、取付板部３２ｃから軸部３２ｂに沿って延びて、補強リブ３２ｄの先端部は頭部３２ａに到達している。
【００３９】
４つの係止突起部３２は、止水板３Ａにおける４つの幅方向端部位３１ａに、起立面部３１の左右方向中心線Ｃからの距離Ｌが同じで、且つ起立面部３１の上下方向中央位置に位置するように、それぞれ配置されている。これにより、止水板３Ａを左右反転しても又は上下反転しても、４つの係止突起部３２の頭部３２ａが止水板３Ａにおいて同一位置に位置するように構成されている。
【００４０】
なお、前後の起立面部３１，３１のそれぞれには、幅方向中央部に、４つの左右横長の取っ手凹部３１ｂが設けられている。これらの取っ手凹部３１ｂは、中心位置が起立面部３１と同一位置の仮想長方形の４つの角部に配置されている。すなわち、止水板３Ａを左右反転しても又は上下反転しても、４つの取っ手凹部３１ｂが止水板３Ａにおいて同一位置に位置するように構成されている。これにより、作業者が止水板３Ａを持ち運ぶ際に、止水板３Ａの向きにかかわらず、持ち上げたときの感覚を同じにできる。
【００４１】
図３及び図４に示すように、幅方向端部位３１ａにおいて、起立面部パッキン部材３３は、起立面部３１の上下方向の一端から他端にわたって連続して、係止突起部３２よりも左右外側位置に配置されている。これにより、止水板３Ａが支持体２Ｒ，２Ｌに取り付けられたときに、起立面部パッキン部材３３は、支持体２Ｒ，２Ｌの係止穴２２よりも左右外側位置で止水板取付け面部２１に密接するので、係止穴２２を介して支持体２Ｒ，２Ｌ内部に水が侵入するのを防止できる。
【００４２】
また、起立面部パッキン部材３３は、上下に延びる水膨張性止水材３３ａと、水膨張性止水材３３ａを左右で挟んで上下に延びる左右の耐水性止水材３３ｂ，３３ｂとで構成されている。水膨張性止水材３３ａは、例えば水膨張ゴム製である。耐水性止水材３３ｂは、例えば断面Ｄ字形の中空のゴム製である。起立面部パッキン部材３３が水膨張性止水材３３ａを含む左右３重構造に形成されているので、起立面部３１と止水板取付け面部２１との間の水密性を高めることができる。
【００４３】
なお、平面視で前後に並ぶ２本の起立面部パッキン部材３３，３３の端部は、止水板３Ａの上下の水平面部３４，３４のそれぞれに設けられる前後方向パッキン部材３５に連続している。すなわち、前後２本の起立面部パッキン部材３３と上下２本の前後方向パッキン部材３５は、連続して環状に設けられている。なお、前後方向パッキン部材３５は、水膨張性止水材３５ａと左右の耐水性止水材３５ｂ，３５ｂとで構成されており、起立面部パッキン部材３３と同様に、左右３重構造に形成されている。
【００４４】
図３及び図４に示すように、上下の水平面部３４，３４のそれぞれに、ストッパ突起部３７とストッパ受け凹部３８とが配置されるストッパ配置領域３９が設けられている。本実施形態では、ストッパ配置領域３９は、水平面部３４の左右方向中央部に設けられている。
【００４５】
上下２つのストッパ配置領域３９のそれぞれに、水平面部３４から上下方向に向けて突出するストッパ突起部３７が設けられている。すなわち、止水板３Ａには、２つのストッパ突起部３７が設けられている。各ストッパ突起部３７は、水平面部３４の中央位置（左右方向中央位置かつ前後方向中央位置）に配置されている。これにより、止水板３Ａを左右反転しても又は上下反転しても、上下２つのストッパ突起部３７が止水板３Ａにおいて同一位置に位置するように構成されている。
【００４６】
また、各ストッパ配置領域３９には、ストッパ突起部３７を左右で挟んで、左右のストッパ受け凹部３８，３８が形成されている。すなわち、止水板３Ａには、４つのストッパ受け凹部３８が設けられている。ストッパ受け凹部３８は、後述する止水板３Ｂのストッパ突起部３７を収容可能なものであり、ストッパ受け凹部３８の内径は、ストッパ突起部３７の外径よりも少し大きく形成されている。
【００４７】
各ストッパ配置領域３９において、左右のストッパ受け凹部３８，３８は、水平面部３４の中央位置に対して左右対称位置に配置されている。また、止水板３Ａにおいて、４つのストッパ受け凹部３８は、水平面部３４の中央位置から同一距離だけ離れた位置に設けられている。これにより、止水板３Ａを左右反転しても又は上下反転しても、４つのストッパ受け凹部３８が止水板３Ａにおいて同一位置に位置するように構成されている。
【００４８】
図３及び図４に示すように、止水板３Ａの上下の水平面部３４，３４のそれぞれに、左右方向に延びる弾性体からなる水平面部パッキン部材３６と、上述の前後方向パッキン部材３５が設けられている。前後方向パッキン部材３５は、水平面部３４の左右の幅方向端部位にそれぞれ設けられている。水平面部パッキン部材３６の左右両端部は、左右の前後方向パッキン部材３５に隙間なく接続されている。
【００４９】
水平面部パッキン部材３６は、左右に延びる水膨張性止水材３６ａと、水膨張性止水材３６ａを前後で挟んで左右に延びる前後の耐水性止水材３６ｂ，３６ｂとで構成されている。水膨張性止水材３６ａは、例えば水膨張ゴム製である。耐水性止水材３６ｂは、例えば断面Ｄ字形の中空のゴム製である。水平面部パッキン部材３６が水膨張性止水材３６ａを含む前後３重構造に形成されているので、床面Ｆと止水板３Ａ又は３Ｂとの間の水密性、及び止水板３Ａと止水板３Ｂとの間の水密性を高めることができる。
【００５０】
図３及び図４に示すように、水平面部パッキン部材３６の水膨張性止水材３６ａの左右方向中央部分は、ストッパ配置領域３９を囲むようにして、前後に分岐して設けられている。また、前後の耐水性止水材３６ｂ，３６ｂの左右方向中央部分は、ストッパ配置領域３９を囲む水膨張性止水材３６ａの分岐形状に沿って、ストッパ配置領域３９を迂回するように湾曲している。すなわち、ストッパ配置領域３９は、水膨張性止水材３６ａの前後分岐部分と、前後の耐水性止水材３６ｂ，３６ｂとで囲まれている。
【００５１】
次に、図５を参照しながら止水板３Ｂについて説明する。上述のように、止水板３Ａと止水板３Ｂは、ストッパ突起部３７及びストッパ受け凹部３８の位置及び個数が互いに異なることを除いて、同じ形態を有している。すなわち、止水板３Ｂは、前後の起立面部３１，３１のそれぞれに、４つの係止突起部３２と、左右２本の起立面部パッキン部材３３とを備えている。また、止水板３Ｂは、上下の水平面部３４，３４のそれぞれに、左右２本の前後方向パッキン部材３５と、左右方向に延びる水平面部パッキン部材３６と、水平面部３４の左右方向中央部に設けられたストッパ配置領域３９とを備えている。
【００５２】
止水板３Ｂにおいて、上下のストッパ配置領域３９のそれぞれに、ストッパ受け凹部３８が形成されている。すなわち、止水板３Ｂには、上下２つのストッパ受け凹部３８が設けられている。ストッパ受け凹部３８は、止水板３Ａのストッパ突起部３７を収容可能なものである。各ストッパ受け凹部３８は、水平面部３４の中央位置に配置されている。これにより、止水板３Ｂを左右反転しても又は上下反転しても、２つのストッパ受け凹部３８が止水板３Ａにおいて同一位置に位置するように構成されている。
【００５３】
また、止水板３Ｂの上下のストッパ配置領域３９のそれぞれに、ストッパ受け凹部３８を左右で挟んで、水平面部３４から上下方向に向けて突出する左右のストッパ突起部３７，３７が設けられている。すなわち、止水板３Ｂには、４つのストッパ突起部３７が設けられている。
【００５４】
各ストッパ配置領域３９において、左右のストッパ突起部３７，３７は、水平面部３４の中央位置に対して左右対称位置に配置されている。また、止水板３Ｂにおいて、４つのストッパ突起部３７は、水平面部３４の中央位置から同一距離だけ離れた位置に設けられている。これにより、止水板３Ｂを左右反転しても又は上下反転しても、４つのストッパ突起部３７が止水板３Ｂにおいて同一位置に位置するように構成されている。
【００５５】
図１に示すように、止水板３Ａ又は３Ｂが配置される床面Ｆに、複数の床面ストッパ受け凹部４０が設けられている。本実施形態では、３つの床面ストッパ受け凹部４０が床面Ｆに設けられている。床面ストッパ受け凹部４０は、止水板３Ａのストッパ突起部３７に対応する位置と、止水板３Ｂのストッパ突起部３７に対応する位置とに設けられている。すなわち、床面ストッパ受け凹部４０は、いずれの止水板３Ａ又は３Ｂが床面Ｆの上に配置されてもストッパ突起部３７を収容できる位置に設けられている。
【００５６】
本実施形態の止水装置１では、止水板３Ａ，３Ｂは、前後の起立面部３１，３１のそれぞれに、４つの係止突起部３２及び起立面部パッキン部材３３を備えるとともに、上下の水平面部３４，３４のそれぞれに、左右方向に延びる弾性体からなる水平面部パッキン部材３６を備えている。４つの係止突起部３２は、止水板３Ａ，３Ｂにおける４つの幅方向端部位３１ａに、起立面部３１の左右方向中心線Ｃからの距離Ｌが同じで、且つ起立面部３１の上下方向中央位置に位置するように、それぞれ配置されている。
【００５７】
本実施形態の止水装置１によれば、止水板３Ａ，３Ｂを上下反転させても、左右反転させても、所定の位置に４つの係止突起部３２が位置する。したがって、止水板３Ａ，３Ｂを支持体２Ｌ，２Ｒに取り付ける際に、止水板３Ａ，３Ｂの向きを確認する作業が不要になるとともに、止水板３Ａ，３Ｂの取付け向きの間違いが無くなり、止水板３Ａ，３Ｂを支持体２Ｌ，２Ｒに迅速且つ正確に取り付けることができる。
【００５８】
また、本実施形態の止水装置１は、複数の止水板３Ａ，３Ｂが上下に並べられて支持体２Ｌ，２Ｒに取り付けられる構成である。そして、止水板３Ａ又は３Ｂは、上下の水平面部３４，３４のそれぞれに、上下方向に向けて突出するストッパ突起部３７と、他の止水板３Ｂ又は３Ａのストッパ突起部３７を収容可能なストッパ受け凹部３８とを備えている。それぞれの止水板３Ａ，３Ｂで、ストッパ突起部３７の左右方向位置が異なっているとともに、ストッパ受け凹部３８が、他の止水板３Ｂ又は３Ａのストッパ突起部３７の左右方向位置に対応して左右方向中央位置又は左右対称位置に設けられている。さらに、止水板３Ａ又は３Ｂが配置される床面Ｆに、複数の床面ストッパ受け凹部４０が、いずれの止水板３Ａ又は３Ｂが床面Ｆの上に配置されてもストッパ突起部３７を収容できる位置に設けられている。
【００５９】
したがって、本実施形態の止水装置１によれば、複数の止水板３Ａ，３Ｂを上下に並べて配置することで、止水板３Ａ，３Ｂの合計高さを高くできる構成でありながら、１枚あたりの止水板３Ａ，３Ｂの重量を小さくでき、止水板３Ａ，３Ｂの移動作業が容易になる。
【００６０】
また、上下の止水板３Ａ，３Ｂ同士の間、及び止水板３Ａ又は３Ｂと床面Ｆとの間を、ストッパ突起部３７及びストッパ受け凹部３８で連結するので、水圧に起因する止水板３Ａ，３Ｂの湾曲を低減でき、止水板３Ａ，３Ｂの湾曲に起因する水密性の低下や止水板３Ａ，３Ｂの破損を防止できる。
【００６１】
また、本実施形態の止水装置１では、各止水板３Ａ，３Ｂでストッパ突起部３７の左右方向位置が互いに異なっているとともに、各止水板３Ａ，３Ｂは、他の止水板３Ｂ又は３Ａのストッパ突起部３７の左右方向位置に対応して左右方向中央位置又は左右対称位置にストッパ受け凹部３８を備えていることから、各止水板３Ａ，３Ｂを上下反転させても、左右反転させても、止水板３Ａ，３Ｂ同士を上下に連結可能である。
【００６２】
また、止水板３Ａ又は３Ｂが配置される床面Ｆには、いずれの止水板３Ａ又は３Ｂが床面Ｆの上に配置されてもストッパ突起部３７を収容できる位置に複数の床面ストッパ受け凹部４０が設けられているので、いずれの止水板３Ａ又は３Ｂを床面Ｆの上に配置しても、ストッパ突起部３７が床面ストッパ受け凹部４０に収容される。これにより、各止水板３Ａ，３Ｂの向きや、止水板３Ａ，３Ｂを上下に並べる順番を気にすることなく、複数の止水板３Ａ，３Ｂを支持体２Ｌ，２Ｒに取り付けることができる。
【００６３】
すなわち、図１及び図６に示すように、止水板３Ａを床面Ｆの上に配置し、止水板３Ｂを止水板３Ａの上に配置することもできるし、図７に示すように、止水板３Ｂを床面Ｆの上に配置し、止水板３Ａを止水板３Ｂの上に配置することもできる。
【００６４】
したがって、本実施形態の止水装置１は、支持体２Ｌ，２Ｒに複数の止水板３Ａ，３Ｂを取り付ける構成でありながら、複数の止水板３Ａ，３Ｂを支持体２Ｌ，２Ｒに取り付ける際に、各止水板３Ａ，３Ｂの向きを確認する作業が不要になるとともに、各止水板３Ａ，３Ｂの取付け向きの間違いが無くなり、止水板３Ａ，３Ｂを支持体２Ｌ，２Ｒに素早く且つ正確に取り付けることができる。
【００６５】
次に、支持体２Ｌ，２Ｒの構成について説明する。図１及び図２に示すように、支持体２Ｌ，２Ｒは、中空構造の四角柱状の形態を有し、左右対称の構成を有する。そこで、出入口Ｅの手前側（前側）から見て左側の支持体２Ｌについて説明し、右側の支持体２Ｒの詳細な説明は省略する。
【００６６】
図８〜図１０に示すように、支持体２Ｌは、平面視略長方形であり、出入口Ｅの手前側から見て正面に位置する止水板取付け面部２１と、止水板取付け面部２１の左右端部に連結された左右外側面部２３及び左右内側面部２４と、止水板取付け面部２１に対向配置されるカバー部２５とを備えている。支持体２Ｌの下端側は板状の底面部２６により塞がれている。支持体２Ｌの上端側は板状の天面部２７により塞がれている。
【００６７】
支持体２Ｌの左右外側面部２３は、複数の側面固定ネジ２８にて、出入口Ｅの左側の側壁Ｗに固定される。また、底面部２６は、複数の底面固定ネジ２９にて、出入口Ｅの左端部に位置する床面Ｆに固定される。左右外側面部２３と側壁Ｗの間、及び底面部２６の間は、接着剤又は弾性体などの止水材によって、水密性が確保されている。
【００６８】
止水板取付け面部２１の上下２箇所に、止水板３Ａ，３Ｂの係止突起部３２が嵌め込まれる係止穴２２が設けられている。一方の係止穴２２には止水板３Ａ又は３Ｂの係止突起部３２が嵌め込まれ、他方の係止穴２２には止水板３Ｂ又は３Ａの係止突起部３２が嵌め込まれる。
【００６９】
係止穴２２は、止水板３Ａ，３Ｂの係止突起部３２の頭部３２ａを挿通可能な頭部挿通穴２２ａと、頭部挿通穴２２ａから下方に向けて延びる軸部挿通溝２２ｂとを有し、上下縦長の略鍵穴状の形状を有している。上下に延びる軸部挿通溝２２ｂの幅寸法は、係止突起部３２の頭部３２ａの左右幅寸法よりも小さく、かつ、係止突起部３２の軸部３２ｂ及び補強リブ３２ｄの幅寸法よりも大きい。頭部挿通穴２２ａの下辺２２ｃは、軸部挿通溝２２ｂを挟んで左右に分割されており、各下辺２２ｃは、軸部挿通溝２２ｂ側ほど下方に位置するように傾斜している。
【００７０】
支持体２Ｌの内部に、係止穴２２の頭部挿通穴２２ａの下方に配置されて係止突起部３２の頭部３２ａを保持する頭部保持部３０が設けられている。本実施形態では、１つの係止穴２２に対して左右一対の頭部保持部３０が設けられている。頭部保持部３０は、止水板取付け面部２１の内部側面に、係止穴２２の軸部挿通溝２２ｂを挟んで取り付けられている。
【００７１】
頭部保持部３０は、略楔形の形態を有し、下方側ほど止水板取付け面部２１から離れるように傾斜する頭部スライド面３０ａと、頭部スライド面の下方に設けられて係止突起部３２の頭部３２ａが嵌り込む左右横長溝状の頭部保持凹部３０ｂとを備えている。
【００７２】
また、支持体２Ｌの内部に、頭部保持凹部３０ｂに保持された係止突起部３２の頭部３２ａを、操作ハンドル４２を回動させることで跳ね上げ可能な解除装置４１が設けられている。本実施形態では、左右内側面部２４の内部壁面に、上下２つの解除装置４１が上下に並んで取り付けられている。
【００７３】
解除装置４１は、作業者が把持する把持部４２ａを一端に有し、他端に作用部４２ｂを有する操作ハンドル４２を備える。操作ハンドル４２の中途部は、左右内側面部２４に取り付けられるベース部材４３に、回動自在に軸支される。すなわち、作業者が把持部４２ａを手前側に引いて下向き回動させると、作用部４２ｂが上向き回動するように構成されている。また、ベース部材４３の下方に、操作ハンドル４２の作用部４２ｂと係合して操作ハンドル４２を位置固定可能なハンドル固定部材４４が設けられている。
【００７４】
支持体２Ｌにおいて、カバー部２５は、ヒンジ部材４５によって開閉可能に設けられている。カバー部２５は、閉じた状態で、図示しないシリンダー錠又はマグネット等の固定具によって回動不能に固定されている。
【００７５】
次に、図１１〜図１５を参照しながら、支持体２Ｌ，２Ｒへの止水板３Ａ，３Ｂの取付け操作について説明する。なお、図１１〜図１５では、支持体２Ｌ，２Ｒのうち支持体２Ｌのみを図示しているが、上述のように支持体２Ｌ，２Ｒは左右対称に設けられるので、支持体２Ｒについても同様の取付け操作が行われる。
【００７６】
図１２に示すように、支持体２Ｌ，２Ｒに対峙するように止水板３Ａを配置し、止水板３Ａを少し持ち上げて、支持体２Ｌ，２Ｒの下側の係止穴２２の頭部挿通穴２２ａに、止水板３Ａの係止突起部３２の頭部３２ａを挿入する（図１１（Ａ），（Ｂ）も参照）。
【００７７】
上述のように、止水板３Ａの係止突起部３２は、止水板３Ａの上下向き、左右向き、前後向きに関わらず、起立面部３１における同一位置に配置される。したがって、止水板３Ａを取り付ける作業者は、止水板３Ａの向きを確認することなく、迅速に係止突起部３２の頭部３２ａを係止穴２２の頭部挿通穴２２ａに挿入できる。
【００７８】
作業者が止水板３Ａを持ち上げる力を抜くと、止水板３Ａの重さで、止水板３Ａが下方へ変位し、係止突起部３２の軸部３２ｂ及び補強リブ３２ｄが係止穴２２の軸部挿通溝２２ｂに嵌り込むとともに、頭部３２ａが頭部保持部３０の頭部スライド面３０ａに当接する。ここで、頭部３２ａを頭部挿通穴２２ａに挿通したときに軸部３２ｂ及び補強リブ３２ｄが軸部挿通溝２２ｂに対して左右方向に位置ズレしていても、軸部３２ｂ及び補強リブ３２ｄは、軸部挿通溝２２ｂ側へ下向きに傾斜する下辺２２ｃに沿って軸部挿通溝２２ｂに案内される。これにより、軸部３２ｂ及び補強リブ３２ｄを軸部挿通溝２２ｂに容易かつ確実に嵌め込むことができる。また、止水板３Ａの下側のストッパ突起部３７の先端部が床面Ｆのストッパ受け凹部４０に挿入される。
【００７９】
止水板３Ａを下方へスライドさせるように押し込むと、係止突起部３２の頭部３２ａは、頭部保持部３０の頭部スライド面３０ａに沿って、支持体２Ｌ，２Ｒの止水板取付け面部２１から離れるように斜め下向きに移動する。このとき、止水板３Ａの起立面部３１は、止水板取付け面部２１に近づくように変位し、起立面部パッキン部材３３が止水板取付け面部２１に密着当接するとともに押圧変形する。
【００８０】
図１３に示すように、止水板３Ａをさらに下方へスライドさせると、係止突起部３２の頭部３２ａが頭部保持部３０の頭部保持凹部３０ｂに到達して、頭部３２ａの軸部３２ｂ寄り部位が頭部保持凹部３０ｂに嵌り込む（図１１（Ｃ）も参照）。頭部３２ａは、弾性体からなる起立面部パッキン部材３３の復元力によって頭部保持凹部３０ｂに付勢されて、頭部保持凹部３０ｂ内に保持される。
【００８１】
このように、止水板３Ａの係止突起部３２の頭部３２ａを支持体２Ｌ，２Ｒの係止穴２２の頭部挿通穴２２ａに挿入した後に止水板３Ａを下方へスライドさせるという簡単な操作で、止水板３Ａを支持体２Ｌ，２Ｒに確実に接続できるとともに、止水板３Ａの上向き移動が規制されて、止水板３Ａの浮き上がりを防止できる。
【００８２】
また、係止突起部３２の頭部３２ａが頭部保持凹部３０ｂに嵌り込んだ状態で、止水板３Ａの下側の前後方向パッキン部材３５（図３等参照）及び水平面部パッキン部材３６が床面Ｆに密着当接するとともに押圧変形する。これにより、止水板３Ａと床面Ｆとの間に高い水密性を確保できる。また、止水板３Ａの下側のストッパ突起部３７の先端側が床面Ｆのストッパ受け凹部４０に挿入されるので、水圧に起因する止水板３Ａの湾曲を低減でき、止水板３Ａの湾曲に起因する水密性の低下や止水板３Ａの破損を防止できる。
【００８３】
続いて、図１４に示すように、止水板３Ｂを、止水板３Ａが取り付けられた支持体２Ｌ，２Ｒに対峙するように配置し、止水板３Ｂを止水板３Ａの上方まで持ち上げて、支持体２Ｌ，２Ｒの上側の係止穴２２の頭部挿通穴２２ａに、止水板３Ｂの係止突起部３２の頭部３２ａを挿入する。
【００８４】
止水板３Ｂは、止水板３Ａと同様に、止水板３Ｂの向きに関わらず、起立面部３１における同一位置に係止突起部３２が配置される。したがって、止水板３Ｂを取り付ける作業者は、止水板３Ｂの向きを確認することなく、係止突起部３２の頭部３２ａを係止穴２２の頭部挿通穴２２ａに迅速に挿入できる。
【００８５】
作業者が止水板３Ｂを持ち上げる力を抜くと、止水板３Ａの取付け時と同様に、止水板３Ｂが下方へ変位して、係止突起部３２の頭部３２ａが頭部保持部３０の頭部スライド面３０ａに当接する。また、止水板３Ｂの下側のストッパ突起部３７の先端部が止水板３Ａの上側のストッパ受け凹部３８に挿入される一方、止水板３Ａの上側のストッパ突起部３７の先端部が止水板３Ｂの下側のストッパ受け凹部３８に挿入される。
【００８６】
そして、止水板３Ｂを下方へスライドさせるように押し込むと、止水板３Ａの取付け時と同様に、係止突起部３２の頭部３２ａが頭部保持部３０の頭部スライド面３０ａに沿って斜め下向きに移動とともに、止水板３Ｂの起立面部３１が止水板取付け面部２１に近づくように変位し、止水板３Ｂの起立面部パッキン部材３３が止水板取付け面部２１に密着当接するとともに押圧変形する。
【００８７】
図１５に示すように、止水板３Ｂをさらに下方へスライドさせると、止水板３Ａの取付け時と同様に、係止突起部３２の頭部３２ａが頭部保持凹部３０ｂに到達し、起立面部パッキン部材３３の復元力によって頭部３２ａが頭部保持凹部３０ｂに嵌り込む。このように、止水板３Ｂの係止突起部３２の頭部３２ａを支持体２Ｌ，２Ｒの上側の係止穴２２の頭部挿通穴２２ａに挿入した後に止水板３Ｂを下方へスライドさせるという簡単な操作で、止水板３Ｂを支持体２Ｌ，２Ｒに確実に接続できるとともに、止水板３Ｂの上向き移動が規制されて、止水板３Ｂの浮き上がりを防止できる。
【００８８】
また、止水板３Ｂの係止突起部３２の頭部３２ａが頭部保持凹部３０ｂに嵌り込んだ状態で、止水板３Ｂの下側の前後方向パッキン部材３５及び水平面部パッキン部材３６と、止水板３Ａの上側の前後方向パッキン部材３５及び水平面部パッキン部材３６とが、互いに着当接するとともに押圧変形する。これにより、止水板３Ａと止水板３Ｂとの間に高い水密性を確保できる。
【００８９】
また、止水板３Ｂの下側のストッパ突起部３７の先端側が止水板３Ａの上側のストッパ受け凹部３８に挿入されるとともに、止水板３Ａの上側のストッパ突起部３７の先端側が止水板３Ｂの下側のストッパ受け凹部３８に挿入される。これにより、水圧に起因する止水板３Ａ、３Ｂの湾曲を低減でき、止水板３Ａ，３Ｂの湾曲に起因する水密性の低下や止水板３Ａの破損を防止できる。
【００９０】
次に、図１６を参照しながら、支持体２Ｌ，２Ｒに取り付けられた止水板３Ａ，３Ｂの取外し操作について説明する。なお、図１６では支持体２Ｌ，２Ｒのうち支持体２Ｌを図示しているが、上述のように支持体２Ｌ，２Ｒは左右対称に設けられるので、支持体２Ｒについても同様の取り外し操作が行われる。
【００９１】
まず、支持体２Ｌのカバー部２５を開いて、解除装置４１を操作可能な状態にする。上下２つの解除装置４１のうち上側の解除装置４１の操作ハンドル４２の把持部４２ａを握り、把持部４２ａを手前側（止水板取付け面部２１とは反対側）に引いて下向き回動させる。把持部４２ａの下向き回動にともなって、操作ハンドル４２の作用部４２ｂが上向き回動してハンドル固定部材４４から外れる。
【００９２】
把持部４２ａをさらに下向き回動させると、作用部４２ｂは、さらに上向き回動して、止水板３Ｂの係止突起部３２の頭部３２ａに下方から当接し、頭部３２ａを押し上げる。頭部３２ａは頭部保持部３０の頭部保持凹部３０ｂから外れて、頭部スライド面３０ａの下端部位へ移動し、係止突起部３２の頭部３２ａと頭部保持部３０の頭部保持凹部３０ｂとの係合が解除される（図１６（Ａ）参照）。
【００９３】
頭部３２ａと頭部保持凹部３０ｂとの係合が解除された状態で、係止突起部３２の頭部３２ａは、起立面部３１と止水板取付け面部２１との間の起立面部パッキン部材３３の復元力によって、頭部スライド面３０ａに押し付けられる。これにより、操作ハンドル４２の作用部４２ｂが係止突起部３２の頭部３２ａから離れても、頭部３２ａが頭部保持部３０の頭部保持凹部３０ｂに再び嵌り込まないように構成されている。
【００９４】
また、頭部３２ａと頭部保持凹部３０ｂとの係合が解除されたときに、係止突起部３２の頭部３２ａが頭部保持部３０の頭部スライド面３０ａに接触するようにされていることで、頭部３２ａが係止穴２２から抜けないように構成されている。これにより、作業者が操作ハンドル４２を操作したときに、止水板３Ｂが支持体２Ｌ，２Ｒから不意に外れるのを防止でき、止水板３Ｂの落下や転倒に起因する事故を防止して止水板取外し作業の安全性を向上できるとともに、止水板３Ｂの損傷を防止できる。
【００９５】
作業者は、左右の支持体２Ｌ，２Ｒについて、上側の解除装置４１の操作ハンドル４２を操作して、止水板３Ｂの係止突起部３２頭部３２ａと頭部保持部３０の頭部保持凹部３０ｂとの係合を解除する。この状態で、作業者が係止突起部３２を係止穴２２から引き抜くように止水板３Ｂを斜め上方へ向けて持ち上げることで、止水板３Ｂが支持体２Ｌ，２Ｒから取り外される。
【００９６】
止水板３Ｂを取り外した後、左右の支持体２Ｌ，２Ｒについて、下側の解除装置４１の操作ハンドル４２を上側の解除装置４１の解除操作と同様に操作して、止水板３Ａの係止突起部３２頭部３２ａと頭部保持部３０の頭部保持凹部３０ｂとの係合を解除する（図１６（Ｂ）参照）。そして、作業者が係止突起部３２を係止穴２２から引き抜くように止水板３Ｂを斜め上方へ向けて持ち上げることで、止水板３Ｂが支持体２Ｌ，２Ｒから取り外される。
【００９７】
このときも、止水板３Ｂの係合解除操作時と同様に、止水板３Ａの係止突起部３２の頭部３２ａが頭部スライド面３０ａに接触するように構成されているので、頭部３２ａが頭部保持凹部３０ｂに再び嵌り込むのを防止できるとともに、止水板３Ａの不意な転倒に起因する事故等を防止できる。
【００９８】
このように、作業者は、一人で止水板３Ａ，３Ｂを支持体２Ｌ，２Ｒから安全かつ容易に取り外すことができる。なお、係止突起部３２の頭部３２ａと頭部保持部３０の頭部保持凹部３０ｂとの係合が解除された後、解除装置４１の操作ハンドル４２が垂直位置に戻されて、作用部４２ｂがハンドル固定部材４４に係止される。そして、上下の解除装置４１の操作ハンドル４２が垂直位置に戻された後、カバー部２５が閉じられる。
【００９９】
次に、図１７〜図１９を参照しながら、止水装置１の他の実施形態について説明する。この実施形態では、止水板３Ａ，３Ｂの係止突起部３２の頭部３２ａの形状と、支持体２Ｌ，２Ｒの頭部保持部３０の頭部保持凹部３０ｂの形状とが、図１〜図１６を参照して説明した上記実施形態とは異なっている。この実施形態のその他の構成は、上記実施形態と同じであるので、詳細な説明は省略する。
【０１００】
図１７に示すように、止水板３Ａにおいて、各係止突起部３２の頭部３２ａは球状の形態を有する。球状の頭部３２ａの直径は、軸部３２ｂの左右幅寸法よりも大きい。なお、図１７は、止水板３Ａ，３Ｂのうち止水板３Ａのみを図示しているが、止水板３Ｂにおいても、各係止突起部３２の頭部３２ａは球状の形態を有する。
【０１０１】
図１８は、支持体２Ｌを背面側（カバー部２５側）から見た左右方向の縦断面図を示している。上下２つの係止穴２２ごとに設けられる、左右一対の頭部保持部３０は、それぞれ頭部スライド面３０ａ及び頭部保持凹部３０ｂを備えている。左右一対の頭部保持部３０において、各頭部保持凹部３０ｂは、頭部保持部３０のうち頭部スライド面３０ａの下方で互いに対向する角部に設けられている。頭部保持凹部３０ｂは、当該角部を切り欠いて形成されており、凹球面を略半割した形状を有する。左右の頭部保持凹部３０ｂは左右対称に形成されている。
【０１０２】
図１９に示すように、この実施形態の止水板３Ａ，３Ｂは、上記実施形態と同様にして、支持体２Ｌ，２Ｒに着脱される。止水板３Ａ，３Ｂが支持体２Ｌ，２Ｒに取り付けられた状態では、係止突起部３２の球状の頭部３２ａの軸部３２ｂ寄り部位が、左右の頭部保持部３０の頭部保持凹部３０ｂに嵌り込んで固定される。
【０１０３】
また、支持体２Ｌ，２Ｒから止水板３Ａ，３Ｂを取り外す際には、図１９に示すように、解除装置４１の操作ハンドル４２を上記実施形態と同様にして操作して、球状の頭部３２ａと略凹球面状の頭部保持凹部３０ｂとの係合を解除する。
【０１０４】
本願発明は、前述の実施形態に限らず、様々な態様に具体化できる。例えば、止水板３Ｂにおける左右一対のストッパ突起部３７は、一方のストッパ突起部３７のみが設けられている構成であってもよい。
【０１０５】
また、本願発明において、左右の支持体に取り付けられる止水板は、２枚に限定されず、１枚であってもよいし、３枚以上であってもよい。
【符号の説明】
【０１０６】
１  止水装置
２  左右
２  前後
２  上下
２Ｌ  支持体
２Ｒ  支持体
３  左右
３  前後
３Ａ  止水板
３Ｂ  止水板
２１  止水板取付け面部
２２  係止穴
２２ａ  頭部挿通穴
２２ｂ  軸部挿通溝
２２ｃ  下辺
２３  左右外側面部
２４  左右内側面部
２５  カバー部
２６  底面部
２７  天面部
２８  側面固定ネジ
２９  底面固定ネジ
３０  頭部保持部
３０ａ  頭部スライド面
３１  起立面部
３１ａ  幅方向端部位
３１ｂ  手凹部
３２  係止突起部
３２ａ  頭部
３２ｂ  軸部
３２ｃ  取付板部
３２ｄ  補強リブ
３３  起立面部パッキン部材
３３ａ  水膨張性止水材
３３ｂ  耐水性止水材
３４  水平面部
３５  前後方向パッキン部材
３５ａ  水膨張性止水材
３５ｂ  耐水性止水材
３６  水平面部パッキン部材
３６ａ  水膨張性止水材
３６ｂ  耐水性止水材
３７  ストッパ突起部
３８  凹部
３９  ストッパ配置領域
４０  凹部
４１  解除装置
４２  操作ハンドル
４２ａ  把持部
４２ｂ  作用部
４３  ベース部材
４４  ハンドル固定部材
４５  ヒンジ部材
Ｃ  左右方向中心線
Ｅ  出入口
Ｆ  床面
Ｌ  距離
Ｗ  側壁
【図１】
2019203309.tif 000003
【図２】
2019203309.tif 000004
【図３】
2019203309.tif 000005
【図４】
2019203309.tif 000006
【図５】
2019203309.tif 000007
【図６】
2019203309.tif 000008
【図７】
2019203309.tif 000009
【図８】
2019203309.tif 000010
【図９】
2019203309.tif 000011
【図１０】
2019203309.tif 000012
【図１１】
2019203309.tif 000013
【図１２】
2019203309.tif 000014
【図１３】
2019203309.tif 000015
【図１４】
2019203309.tif 000016
【図１５】
2019203309.tif 000017
【図１６】
2019203309.tif 000018
【図１７】
2019203309.tif 000019
【図１８】
2019203309.tif 000020
【図１９】
2019203309.tif 000021